(57)【要約】【課題】本発明は、高度な保温性ならびに保冷性を兼ね備えた上に、軽く、かつ結露吸収性に優れた保温・保冷容器立てを提供せんとするものである。【解決手段】本発明の保温・保冷容器立ては、１．１デシテックス以下の微細合成繊維成分を含む繊維で構成されたパンチングフエルトを少なくとも１層用いて形成されてなる筒状物からなることを特徴とするものである。【選択図】なし【特許請求の範囲】
【請求項１】
１．１デシテックス以下の微細合成繊維成分を含む繊維で構成されたパンチングフエルトを少なくとも１層用いて形成されてなる筒状物からなることを特徴とする保温・保冷容器立て。
【請求項２】
該繊維が、多芯型の海島型複合繊維および分割型複合繊維（割繊型複合繊維）から選ばれた少なくとも１種の複合繊維である請求項１に記載の保温・保冷容器立て。
【請求項３】
該複合繊維の島成分（割繊繊維成分）が、１．１デシテックス以下の微細繊維成分である請求項２に記載の保温・保冷容器立て。
【請求項４】
該パンチングフエルトが、ニードルパンチングおよびウォタージェットパンチングから選ばれた少なくとも１種の機械的絡合処理を施されてなる繊維絡合シートである請求項１〜３のいずれかに記載の保温・保冷容器立て。
【請求項５】
該繊維絡合シートが、該複合繊維の少なくとも１部が、島成分（割繊繊維成分）と海成分または境界成分とが分離・剥離されて、空隙を形成している領域を有するものである請求項４に記載の保温・保冷容器立て。
【請求項６】
該筒状物が、該筒状物の壁面を構成するフエルトと同様のフエルトからなる底部を有するものである請求項１〜５のいずれかに記載の保温・保冷容器立て。
【請求項７】
該フエルトが、０．１５〜０．５ｇ／ｃｍ３　の繊維密度を有するものである請求項１〜６のいずれかに記載の保温・保冷容器立て。
【請求項８】
該フエルトが、０．５〜１０ｍｍの厚さを有するものである請求項１〜７のいずれかに記載の保温・保冷用容器。
【請求項９】
該筒状物が、該パンチングフェルトを糸条、紐状またはテープ状にスリットしてなる線状物からなる編織物で構成されているものである請求項１〜８のいずれかに記載の保温・保冷用容器。
【請求項１０】
該筒状物の少なくとも壁面が、少なくとも１層の熱反射機能素材からなる膜を少なくとも片面に有するフエルトで構成されている請求項１〜９のいずれかに記載の保温・保冷容器立て。
【請求項１１】
該熱反射機能素材からなる膜が、金属箔、金属メッキ膜、金属蒸着膜および金属のスパッタリング膜から選ばれた少なくとも１種の金属薄膜で構成されているか、または、これらからなる複合材料で構成されているものである請求項１０に記載の保温・保冷容器立て。
【請求項１２】
該複合材料が、発泡体シート、不織布およびフィルムから選ばれた少なくとも１種と、前記金属薄膜とで構成されているものである請求項１１に記載の保温・保冷容器立て。
【請求項１３】
該筒状物の最外側を構成するフエルトの表面が、平滑化されていることを特徴とする請求項１〜１２のいずれかに記載の保温・保冷容器立て。
【請求項１４】
該筒状物の最外側を構成するフエルトの表面が、印刷記録性収縮フィルムで被覆されてなることを特徴とする請求項１〜１３のいずれかに記載の保温・保冷容器立て。
【請求項１５】
該筒状物の該平滑面に、染色、印刷および顔料着色から選ばれた少なくとも１種の着色処理が施されていることを特徴とする請求項１３または１４に記載の保温・保冷容器立て。
【発明の詳細な説明】
【０００１】
【発明の属する技術分野】
本発明は、優れた保温性ならびに保冷性を兼ね備えた保温・保冷容器立てに関するものである。
【０００２】
【従来の技術】
従来、飲料容器の断熱用筒体として、ゴムスポンジ、ポリスチレンおよびポリウレタンなどの発泡体シートに布帛を積層してなる断熱材を、飲料容器の外側に装着してなるものが知られている（特許文献１参照）。
【０００３】
しかし、かかる断熱用筒体は、冷たいビールやジュースなどの場合には、結露現象を起こして、該筒体の底部を濡らしてしまう欠点があったものである。
【０００４】
また、料亭や料理旅館などで、大勢のお客をもてなす場合に、お膳に多数本の冷やしたビールや燗酒を並べておくものであるが、お客様の到着が１，２時間遅れたりした場合には、ぬるくなったり、さめたりして、全部出し直ししなければならなくなることがある。
【０００５】
【特許文献１】実用新案登録第３００６５８５号公報
【０００６】
【発明が解決しようとする課題】
本発明は、かかる従来技術の背景に鑑み、高度な保温性ならびに保冷性を兼ね備えた上に、軽く、かつ結露吸収性に優れた保温・保冷容器立てを提供せんとするものである。
【０００７】
【課題を解決するための手段】
本発明は、かかる課題を解決するために、次のような手段を採用するものである。すなわち、本発明の保温・保冷容器立ては、１．１デシテックス以下の微細合成繊維成分を含む繊維で構成されたパンチングフエルトを少なくとも１層用いて形成されてなる筒状物からなることを特徴とするものである。
【０００８】
【発明の実施の形態】
本発明は、前記課題、つまり高度な保温性ならびに保冷性を兼ね備えた上に、軽く、しかも結露吸収性にも優れた保温・保冷容器立てについて、鋭意検討し、特定な微細合成繊維成分を含む繊維、好ましくは複合繊維からなるパンチングフエルトを用いて容器立てを形成してみたところ、かかる課題を一挙に解決することを究明したものである。
【０００９】
本発明の保温・保冷容器立ては、１．１デシテックス以下の微細合成繊維成分を含む繊維で構成されたパンチングフエルトを少なくとも１層用いて形成されてなる筒状物で構成されているものである。
【００１０】
かかる微細合成繊維成分としては、単繊維繊度が、１．１デシテックス以下、好ましくは０．００１〜１．１デシテックス、より好ましくは０．００１〜０．５デシテックス、特に好ましくは０．００１〜０．３デシテックスの範囲内の合成繊維成分を意味するものである。かかる微細合成繊維は、後述する多芯型の海島型複合繊維や分割型複合繊維（割繊型複合繊維）を脱海処理や割繊処理することにより製造されるものであり、その島繊維成分または割繊繊維成分の単繊維繊度が、上述のような微細（極細）であるものを意味するものである。
【００１１】
本発明のパンチングフエルトは、かかる微細合成繊維成分を含む繊維で構成されいるものであるが、かかる微細合成繊維成分を、該フエルトの構成繊維の好ましくは５０ｗｔ％以上、より好ましくは７０ｗｔ％以上、特に好ましくは９０ｗｔ％以上占めているのが、結露吸収性の上から好ましい。すなわち、結露吸収性を阻害しない範囲内で適度に他の繊維、例えば太い合成繊維や、綿あるいは絹などの天然繊維、化学繊維などが混用されていてもよい。
【００１２】
かかる微細合成繊維成分を含む繊維は、フィラメントあるいは短繊維のいずれを用いてもフエルトを構成することができる。例えば、複数の成分から構成される複合繊維、中でも該複合成分のうちの一成分を溶出除去するかあるいは各成分ごとに分割する等の、後の極細化加工により極細化が可能な複合繊維を原料繊維に用いたフィラメントあるいは短繊維を用いて、ウェブを形成し、ニードルパンチまたは水流や空気流による流体流パンチング処理に供して、フエルトを形成する。かかるフェルトは、次いで脱海処理または割繊処理されて極細化される。かかる微細合成繊維成分を含む繊維からなるフェルトは、必要により、さらに該パンチング処理を施して、その繊維密度を高くして、結露吸収性を改善することができる。なお、かかる微細合成繊維成分を含む繊維からなるパンチングフェルトにおいて、必要により、さらに親水性高分子弾性体、好ましくはポリウレタンを含浸させることができる。かかる親水性高分子弾性体により、結露吸収性を大幅に改善することができる。
【００１３】
また、本発明のパンチングフェルトとしては、該微細合成繊維成分を含む繊維として、多芯型の海島型複合繊維および分割型複合繊維（割繊型複合繊維）から選ばれた少なくとも１種の複合繊維で構成されたものを好ましく使用することができる。
【００１４】
かかる多芯型の海島型複合繊維や分割型複合繊維（割繊型複合繊維）は、前記のフェルトのように、脱海処理や割繊処理する前段階の原料繊維である。すなわち、この場合には、かかる複合繊維の海成分および境界成分をそのまま利用して、これらで結露吸収性の空隙を形成したり、印刷記録性を付与するための表面平滑化に利用するものである。
【００１５】
本発明の複合繊維について、以下説明する。
【００１６】
すなわち、該複合繊維を構成する島成分としては、ポリエステルやポリアミドを使用することができ、海成分としては、ポリオレフィンやポリスチレンなどが使用される。また、割繊繊維成分としては、ポリエステルやポリアミドを使用することができ、境界成分としては、かかる割繊繊維成分と混和しない、たとえば熱収縮性や溶剤膨潤性の異なるものや、親和性のないポリマを選択して使用することができ、たとえばポリエステルに対してはポリアミドを好ましく使用することができる。
【００１７】
すなわち、かかる海成分および境界成分は、前記ニードルパンチングおよびウォタージェットパンチングなどの絡合処理を施すと、島成分（割繊繊維成分）と、海成分または境界成分とが分離・剥離されて、空隙を形成するものである。かかる空隙領域を有するパンチングフエルト（繊維絡合シート）が、前記課題である高度な保温性ならびに保冷性を兼ね備えるという効果を奏する上に、特に結露吸収性に優れた効果を達成し得るものである。もちろんかかる空隙は、該絡合処理によって発生する島成分（割繊繊維成分）からなる１．１デシテックス以下という微細繊維と、海成分または境界成分との組み合わせによって、初めて惹起するものであり、特に結露吸収性に優れた空隙を構成するものである。
【００１８】
かかる空隙を形成している領域は、該パンチングフエルトを構成する該複合繊維の少なくとも一部によって形成されていればよいが、具体的には、該複合繊維の好ましくは３０％以上、より好ましくは５０％以上、特に好ましくは７０〜１００％であるのが、効果の上からよい。
【００１９】
また、該複合繊維を構成する海成分または境界成分は、海島型複合繊維の場合における海成分は、好ましくは２０〜５０ｗｔ％、より好ましくは３０〜４５ｗｔ％であるのがよい。また、分割型複合繊維（割繊型複合繊維）の場合における境界成分は、単繊維断面積の、好ましくは３０〜７０％、より好ましくは４０〜６０％であるのがよい。かかる海成分または境界成分は、上述空隙を形成する上から重要な機能を惹起するものであるから、このパンチングフエルトにおいては、かかる海成分または境界成分が存在することが必須要件である。
【００２０】
かかるパンチングフエルトとしては、０．１５〜０．５ｇ／ｃｍ３　の繊維密度を有するものが好ましく、さらに、好ましくは０．５〜１０ｍｍ、より好ましくは１〜５ｍｍの厚さを有するものを使用するのが、効果の上からよい。
【００２１】
本発明の保温・保冷容器立ては、該筒状物の壁面を構成するパンチングフエルトと同様のフエルトで、その底部を構成するのが、効果の上からよい。
【００２２】
本発明において、該パンチングフエルト中に、該絡合処理によって発生する島成分（割繊繊維成分）からなる１．１デシテックス以下という微細繊維が存在することは、該空隙を構成する上から、好ましいことであり、かかるパンチングフエルト中に好ましくは５０ｗｔ％以上、より好ましくは７０ｗｔ％以上が該微細合成繊維成分で占められているのがよい。
【００２３】
本発明の保温・保冷容器立ては、かかるパンチングフエルトで全体を構成した場合には、結露吸収性に優れている上に、この結露水分を該容器立ての壁面から蒸発させる機能を有しており、その場合、該壁面全体から２５Ｊ／ｋｇの蒸発潜熱が奪われる。つまりかかる冷却機能により、該壁面の温度を低下させることができる。気候条件にもよるが、該壁面の温度を雰囲気温度より約３〜１０℃低くくするので、優れた保冷補助効果を奏するものである。
【００２４】
なお、本発明でいうパンチングフェルトは、一枚のシート状物からなるもののみならず、該フェルトを糸条、紐状またはテープ状にスリットした線状物で構成された編織物を含むものとする。かかる編織物で構成された容器立ても、上述の結露拡散吸収性に優れているので、抜群の保温・保冷効果を奏する。
【００２５】
かかるフエルトの表面に、少なくとも１層の熱反射機能素材からなる膜を少なくとも片面に有するフエルトで該筒状物の少なくとも壁面を構成すると、保温・保冷性を著しく向上するので好ましい。かかる熱反射機能素材からなる膜が、金属およびセラミックスから選ばれた少なくとも１種で構成されているものである。すなわち、かかる金属としては、金、銀、クロム、ニッケル、アルミニウムなどを使用することができ、かかる金属を、メッキ法、蒸着法、スパッタリング法、イオンプレーティング法などの手段によって製膜したもの、さらには、圧延法によって製箔したものなどを使用することができる。
【００２６】
また、該複合材料としては、発泡体シート、不織布およびフィルムから選ばれた少なくとも１種と、前記金属薄膜とを、直接または接着剤を介して固着させで構成されているものを使用することができる。かかる金属薄膜層は、１層に限らず、何層も使用することができる。
【００２７】
また、セラミックスは、熱可塑性樹脂中に混合した混合物を該シート表面上に、直接または接着剤を介して塗布してなる複合材や、該混合物を含む繊維で該シートを構成したものを使用することができる。かかるセラミックス含有シートは、前記金属膜をさらに結合して、複合材の形で使用することができる。
【００２８】
また、本発明の保温・保冷容器立ては、かかるフエルトの表面（最外側）が、平滑化することによって、染色、印刷および顔料着色から選ばれた少なくとも１種の着色処理を施すことができるので好ましい。また、かかるフエルトの表面に、印刷記録性収縮フィルムで被覆しても、かかる記録性を付与することができる。
【００２９】
本発明のパンチングフエルトおよびその他のシート、フィルムは、それらの原料段階や製品段階などの適宜の時点において、防虫、防菌、抗菌、消臭、防臭、あるいは撥水加工、撥油加工、防汚加工などの各種の機能性の付与加工が施されていてもよい。特に、防汚・抗菌加工、撥水加工、撥油加工などを施したものを用いれば、汚れが付着するのを防止することができるので好ましい。
【００３０】
かかるパンチングフエルトは、ビールや徳利、さらには飲料ペットボトル、缶ビール、缶ジュースの大きさに合わせて、少なくとも１層、好ましくは２層以上の多層に重合して筒状に接合し、底部も同一フエルトで蓋をして、本発明の容器立てを形成する。このときに採用する接合手段は、接着剤や縫製、さらには熱融着など公知の方法を用いることができる。
【００３１】
【実施例】
以下、本発明を実施例により、さらに詳細に説明する。
【００３２】
実施例１
島成分としてポリエチレンテレフタレート、海成分としてポリスチレンからなる、成分比６０／４０、島数１６、複合繊維繊度４．２デシテックス＜島成分の繊維繊度（単繊維繊度）０．１５デシテックス、繊維長５１ｍｍ＞の海島型複合繊維の原綿を用い、これを２５００本／ｃｍ２　のニードルパチング処理して、目付５２５ｇ／ｍ２　、厚み２．８５ｍｍ、密度０．１８５ｇ／ｃｍ３　のパンチングフェルトを作成した。このフェルトにポリビニルアルコールを用いて糊付けした後、脱海処理し、次いでポリウレタンの溶剤溶液を含浸して、目付５８０ｇ／ｍ２　、厚み２．００ｍｍ、密度０．２９０ｇ／ｃｍ３のフェルトを作成した。このフェルトを、裁断して、観察したところ、ポリエチレンテレフタレートの微細繊維とポリウレタンとで、観察面積にして約９０％の領域において、微細な空隙を形成していることが確認された。
【００３３】
このフェルトを用いて、ビール大瓶の直径７６ｍｍにフィットさせて二重に巻き付け、高さ２００ｍｍで裁断し、その端部を１０ｍｍ重ねて重合させ、その部分を縫製して接合して、筒状物を形成した。
【００３４】
この筒状物の底部に、同一フェルトを嵌合させて縫製し、さらに接着剤で接合して、容器立てを形成した。この容器立ては、ビール大瓶の首部以外は、スッポリ包み込まれるものであった（実施例１）。
【００３５】
この容器立てに、冷蔵庫で冷やした中身の温度７℃のビール大瓶（ビール入り）を装填して、大気温度３２℃の屋内テーブル上に放置して１時間後、中身の温度を測定したところ、１３℃であった。いずれも優れた保冷効果を示した。また、この容器立ては、軽くて、持ち運びし易い上に、結露した露は、該フェルトにしっかりと吸収されていて、シットリした感触を有していた。
【００３６】
実施例２〜３
島成分としてポリエチレンテレフタレート、海成分としてポリスチレンからなる、成分比６０／４０、島数１６、複合繊維繊度４．２デシテックス＜島成分の繊維繊度（単繊維繊度）０．１５デシテックス、繊維長５１ｍｍ＞の海島型複合繊維の原綿を用い、これを２５００本／ｃｍ２　のニードルパチング処理して、目付５２５ｇ／ｍ２　、厚み２．８５ｍｍ、密度０．１８５ｇ／ｃｍ３　のパンチングフェルトを作成した。このフェルトを裁断して、観察したところ、該海島型複合繊維の島成分と海成分とが剥離して、観察面積にして約６０％の領域において、微細な空隙を形成していることが確認された。
【００３７】
このフェルトを用いて、ビール大瓶の直径７６ｍｍにフィットさせて一重に巻き付け、高さ２００ｍｍで裁断し、その端部を１０ｍｍ重ねて重合させ、その部分を樹脂接着剤で接合して、筒状物を形成した。
【００３８】
この筒状物の底部に、同一フェルトを該接着剤で接合して、容器立てを形成した。この容器立ては、ビール大瓶の首部以外は、スッポリ包み込まれるものであった（実施例２）。
【００３９】
実施例２のパンチングフェルトを二重に巻き付けること、底部も二重に積層したフェルトを用いること、以外は、実施例１と同様にして、容器立てを形成した。（実施例３）。
【００４０】
実施例３において、一枚のパンチングフェルト表面に、家庭用アルミ箔を接着剤で貼着し、このフェルトの該アルミ箔が、二重のフェルト層の真ん中に配置するようにする以外は、実施例２と同様にして、容器立てを形成した（実施例４）。
【００４１】
これらの容器立ての保冷効果を試験してみた。すなわち、大気温度３２屋内テーブル上に、冷蔵庫で冷やした中身の温度７℃のビール大瓶（ビール入り）を、それぞれの容器立て内に装填して、１時間後、中身の温度を測定したところ、実施例２：１４℃、実施例３：１２℃、実施例４：１０℃であった。いずれも優れた保冷効果を示した。また、この容器立ては、軽くて、持ち運びし易い上に、結露した露は、フェルトにしっかりと吸収されていて、シットリした感触を有していた。
【００４２】
【発明の効果】
本発明によれば、長時間放置しても、優れた保温・保冷性を発揮するので、料亭や旅館などの接客業界で、お客を待つ間にも、お酒が燗冷めしたり、ビールが生ぬるくなることを心配することなく、安心して接客準備をすることができる容器立てを提供することができる。